【手続補正書】
【提出日】平成27年11月24日(2015.11.24)
【手続補正１】
【補正対象書類名】明細書
【補正対象項目名】０００７
【補正方法】変更
【補正の内容】
【０００７】
通常、自動搬送システムで使用するバーコードは、物品を一意に識別する一次元バーコードである。しかし、一次元バーコードは、物品に関する追加データを含むものではない。代わりに、搬送システムによって果たされるべき機能を決定するのに必要なデータが、集中コントローラに関連付けられたデータベースに遠隔記憶されている。このデータは、搬送システム、オーダデータ、仕分け地点、返品地点等に関して物品が取るべきルートとなり得る。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００２／０１７４０３８号明細書
（特許文献２）  米国特許出願公開第２００５／００３５６９４号明細書
（特許文献３）  米国特許出願公開第２００５／００４３８５０号明細書
（特許文献４）  米国特許出願公開第２００５／００４７８９５号明細書
（特許文献５）  米国特許出願公開第２００５／００７１２３４号明細書
（特許文献６）  米国特許出願公開第２００５／０１４０４９８号明細書
（特許文献７）  米国特許出願公開第２００５／０１４９２２６号明細書
（特許文献８）  米国特許出願公開第２００６／０２３８３０７号明細書
（特許文献９）  米国特許出願公開第２００７／０２１０９２３号明細書
（特許文献１０）  米国特許出願公開第２００８／０１８３３２６号明細書
（特許文献１１）  米国特許出願公開第２００８／０１８３３２８号明細書
（特許文献１２）  米国特許出願公開第２００８／０２３４８５３号明細書
（特許文献１３）  米国特許出願公開第２００８／０２７０３２７号明細書
（特許文献１４）  米国特許出願公開第２００９／０１７３７８０号明細書
（特許文献１５）  米国特許出願公開第２０１０／００１５９２５号明細書
（特許文献１６）  米国特許出願公開第２０１０／０２２３７８１号明細書
（特許文献１７）  米国特許出願公開第２０１０／０３２２４７３号明細書
（特許文献１８）  米国特許出願公開第２０１２／００２２６８４号明細書
（特許文献１９）  米国特許出願公開第２０１２／００２４６６９号明細書
（特許文献２０）  米国特許出願公開第２０１２／０１５０３４２号明細書
（特許文献２１）  米国特許出願公開第２０１４／０３４３７２０号明細書
（特許文献２２）  米国特許出願公開第２０１４／０３５１１０１号明細書
（特許文献２３）  米国特許第４，００２，８８６号明細書
（特許文献２４）  米国特許第４，３３１，３２８号明細書
（特許文献２５）  米国特許第４，４２４，０８２号明細書
（特許文献２６）  米国特許第４，４９１，９８２号明細書
（特許文献２７）  米国特許第４，５００，８８０号明細書
（特許文献２８）  米国特許第４，５９８，２７５号明細書
（特許文献２９）  米国特許第４，７９２，２７３号明細書
（特許文献３０）  米国特許第４，８５４，４３９号明細書
（特許文献３１）  米国特許第４，９３６，７３８号明細書
（特許文献３２）  米国特許第４，９６２，４６６号明細書
（特許文献３３）  米国特許第５，１５１，６８４号明細書
（特許文献３４）  米国特許第５，２２８，５５８号明細書
（特許文献３５）  米国特許第５，２６０，６９４号明細書
（特許文献３６）  米国特許第５，２７１，７０３号明細書
（特許文献３７）  米国特許第５，２９４，００４号明細書
（特許文献３８）  米国特許第５，３１５，０９４号明細書
（特許文献３９）  米国特許第５，３４８，４８５号明細書
（特許文献４０）  米国特許第５，５０５，４７３号明細書
（特許文献４１）  米国特許第５，６７６，５１４号明細書
（特許文献４２）  米国特許第５，７３０，２７４号明細書
（特許文献４３）  米国特許第５，７８１，４４３号明細書
（特許文献４４）  米国特許第５，８１２，９８６号明細書
（特許文献４５）  米国特許第５，８４２，５５５号明細書
（特許文献４６）  米国特許第５，８６２，９０７号明細書
（特許文献４７）  米国特許第５，８８６，６３４号明細書
（特許文献４８）  米国特許第５，９９０，４３７号明細書
（特許文献４９）  米国特許第６，０２１，８８８号明細書
（特許文献５０）  米国特許第６，０４７，８１２号明細書
（特許文献５１）  米国特許第６，２０５，３９６号明細書
（特許文献５２）  米国特許第６，２４６，０２３号明細書
（特許文献５３）  米国特許第６，２８９，２６０号明細書
（特許文献５４）  米国特許第６，３１５，１０４号明細書
（特許文献５５）  米国特許第６，３３１，４３７号明細書
（特許文献５６）  米国特許第６，３７７，８６７号明細書
（特許文献５７）  米国特許第６，４８１，２６１号明細書
（特許文献５８）  米国特許第６，５０５，０９３号明細書
（特許文献５９）  米国特許第６，５４３，６９３号明細書
（特許文献６０）  米国特許第６，５４４，０６８号明細書
（特許文献６１）  米国特許第６，５９７，９６９号明細書
（特許文献６２）  米国特許第６，６５０，２２５号明細書
（特許文献６３）  米国特許第６，７１１，４６１号明細書
（特許文献６４）  米国特許第６，７２９，４６３号明細書
（特許文献６５）  米国特許第６，７３１，０９４号明細書
（特許文献６６）  米国特許第６，７６２，３８２号明細書
（特許文献６７）  米国特許第６，７６２，６８１号明細書
（特許文献６８）  米国特許第６，７７５，５８８号明細書
（特許文献６９）  米国特許第６，８２０，７３６号明細書
（特許文献７０）  米国特許第６，８２７，２０２号明細書
（特許文献７１）  米国特許第６，８７３，８８１号明細書
（特許文献７２）  米国特許第６，８７９，３０６号明細書
（特許文献７３）  米国特許第６，９７１，８３３号明細書
（特許文献７４）  米国特許第７，０８４，７３８号明細書
（特許文献７５）  米国特許第７，２６３，４０９号明細書
（特許文献７６）  米国特許第７，５４２，８２３号明細書
（特許文献７７）  米国特許第７，５９１，３６５号明細書
（特許文献７８）  米国特許第７，５９１，３６６号明細書
（特許文献７９）  米国特許第７，６３１，８６９号明細書
（特許文献８０）  米国特許第７，７０５，７４２号明細書
（特許文献８１）  米国特許第７，７５６，６０３号明細書
（特許文献８２）  米国特許第７，９０５，３４５号明細書
（特許文献８３）  米国特許第７，９０９，１５５号明細書
（特許文献８４）  米国特許第８，０７３，５６２号明細書
（特許文献８５）  独国特許出願公開第４０００６０３号明細書
（特許文献８６）  独国特許発明第１９９４７２５９号明細書
（特許文献８７）  独国特許出願公開第１０２００６０５１７７７号明細書
（特許文献８８）  欧州特許出願公開第２８１０２２０号明細書
（特許文献８９）  欧州特許出願公開第２８１０２２５号明細書
（特許文献９０）  仏国特許出願公開第２８８１６６３号明細書
（特許文献９１）  韓国公開特許第１０−２００４−００３６８９９号公報
（特許文献９２）  韓国公開特許第１０−２００６−００２０３０１号公報
（特許文献９３）  国際公開第２００３／００７２５６号
（特許文献９４）  国際公開第２０１２／０２４２７８号
（特許文献９５）  国際公開第２０１３／１１６６２０号
（特許文献９６）  国際公開第２０１３／１１６６５２号
（特許文献９７）  国際公開第２０１５／０２０９７６号
（非特許文献）
（非特許文献１）  ＣＨＥＮＥＹ"Ｎｏ  Ｇａｇｓ  ｉｎ  Ｓｐｅｎｃｅｒ’ｓ  Ｄｉｓｔｒｉｂｕｔｉｏｎ"Ｊｕｎｅ，１９９４，Ａｍｅｒｉｃａｎ  Ｓｈｉｐｐｅｒ  ３６（６）：５６−６９
（非特許文献２）  ＨＩＴＣＨＣＯＣＫ"Ｐａｐｅｒｌｅｓｓ  Ｐｉｃｋｉｎｇ  Ｉｎｃｒｅａｓｅｓ  Ｐｒｏｄｕｃｔｉｖｉｔｙ  ｂｙ  Ｏｖｅｒ  ３００％"Ｊｕｌｙ，１９９３，Ｍｏｄｅｒｎ  Ｍａｔｅｒｉａｌｓ  Ｈａｎｄｌｉｎｇ  ４８（８）：２０（３０）
（非特許文献３）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ１４／４９６３８  ｄａｔｅｄ  Ｍａｒｃｈ  １２，２０１５
（非特許文献４）  Ｉｎｔｅｒｎａｔｉｏｎａｌ  Ｓｅａｒｃｈ  Ｒｅｐｏｒｔ  ｆｏｒ  ＰＣＴ／ＵＳ２０１３／０２４３０８  ｄａｔｅｄ  Ｍａｙ  １５，  ２０１３
（非特許文献５）  Ｉｎｔｅｒｎａｔｉｏｎａｌ  Ｓｅａｒｃｈ  Ｒｅｐｏｒｔ  ｆｏｒ  ＰＣＴ／ＵＳ２０１３／０２４３４９  ｄａｔｅｄ  Ｍａｙ  １５，２０１３
（非特許文献６）  Ｓｕｐｐｌｅｍｅｎｔａｌ  Ｅｕｒｏｐｅａｎ  Ｓｅａｒｃｈ  Ｒｅｐｏｒｔ  ｆｏｒ  ＥＰ  １３７４３５３９  ｄａｔｅｄ  Ａｕｇｕｓｔ  １２，２０１５
（非特許文献７）  Ｓｕｐｐｌｅｍｅｎｔａｌ  Ｅｕｒｏｐｅａｎ  Ｓｅａｒｃｈ  Ｒｅｐｏｒｔ  ｆｏｒ  ＥＰ  １３７４４０１６  ｄａｔｅｄ  Ａｕｇｕｓｔ  ５，２０１５